Podtech/llm-jp-corpus-v4-ja_patent huggingface dataset:
(57)【要約】      （修正有）【課題】地震や台風、津波や洪水などの災害で、大きな損害が出ることを解決するために、空気圧を高めた厚みのあるビニール壁で人や物を防御することで損傷を減らし、防水性を高めることで浸水、沈没することを防ぐことができる箱型エアーシェルターを提供する。【解決手段】開閉扉４の付いた箱型のビニール製の二重構造の空気膜構造体１に、空気栓２、３で内部に空気を送り込み、膜体全体に空気を充満させ、かつ膜体内部の気圧を外部の大気圧より高めることにより、膜体を張りつめて形状を保持させることで、内部に骨組みやフレーム等の支え無しで形状を保持し、空気圧を高めた厚みのあるビニール壁で載せた人や物を防御し、開閉扉４は防水性の高いジッパー５で閉める事で、人や物を浸水や沈没から防ぐのに役立つ。【選択図】図１
0003224628.tif 000002
【実用新案登録請求の範囲】
【請求項１】
ビニール製の箱型の二重構造の空気膜構造体で、空気栓で内部に空気を送り込んで充満させることで、形状を保持することができるところを特徴とし、内側の空気栓からはシェルター内部に空気を送ることができ、開閉扉のジッパーで開閉することができる箱型エアーシェルター。
【考案の詳細な説明】
【技術分野】
【０００１】
本考案は、ビニール製の二重構造の空気膜構造体の箱型エアーシェルターに関するものである。
【考案の概要】
【考案が解決しようとする課題】
【０００２】
地震や台風、津波や洪水などの災害で、人や物が損傷を受けたり、水に流されて行方不明や死亡したりして大きな損害が出ている。従って、ビニール製の空気膜構造体の箱型エアーシェルター内に人や物を載せることで、空気圧を高めた厚みのあるビニール壁で人や物を防御することで損傷を減らしたり、防水性を高めることで浸水、沈没するのを防ぐことができ、前述の欠点を解決しようとするものである。
【課題を解決するための手段】
【０００３】
本考案は、開閉扉の付いた箱型のビニール製の二重構造の空気膜構造体に、空気栓で内部に空気を送り込み、膜体全体に空気を充満させ、かつ膜体内部の気圧を外部の大気圧より高めることにより、膜体を張りつめて形状を保持させることで、内部に骨組みやフレーム等の差さえ無しで形状を保持することができ、空気圧を高めた厚みのあるビニール壁で載せた人や物を防御し、開閉口は防水性の高いジッパーで閉める事で、人や物を浸水や沈没から防ぐことで問題点を解決している。
【考案の効果】
【０００４】
上述の様に、本考案の箱型エアーシェルターは、二重構造になっているため内側の空気栓から内側の空気膜の空気を吸って酸素補給が出来ることで、数時間でも避難できるようになる。さらにビニールを透明にすることで、シェルター内から外の状況が見ることができ、外からもシェルター内を見ることができ、人や物を探すことに役立つ。
【図面の簡単な説明】
【０００５】
【図１】本考案の箱型エアーシェルターの全体の俯瞰図である。
【図２】本考案の箱型エアーシェルターの人を載せた場合の俯瞰図である。
【図３】本考案の二重構造の空気膜構造体の断面図である。
【符号の説明】
【０００６】
１    ビニール製の空気膜構造体
２    ビニール製の外側の空気栓
３    ビニール製の内側の空気栓
４    ビニール製の空気膜構造体の開閉扉
５    開閉扉のジッパー（両側）
６    人
a  外側の空気膜
ｂ  内側の空気膜
【図１】
0003224628.tif 000003
【図２】
0003224628.tif 000004
【図３】
0003224628.tif 000005
(57)【要約】      （修正有）【課題】キャップレスで危険度も小さく児童も安心してカッターを利用することが出来るノック式カッター付きペン軸を提供する。【解決手段】軸３の芯先端部にカッター２（２〜３ミリ）を設けるとともに、軸後部に筆記具を設け、一体型カッター付きペン軸とし、カッター付きペン軸をノック式ペン軸として使用する。【選択図】図１
0003224608.tif 000002
【実用新案登録請求の範囲】
【請求項１】
軸先端部の芯にカッターを設けたことを特徴とするノック式カッター付ペン軸。
【請求項２】
軸後部に筆記具を設けて構成し一体型とした請求項１記載のノック式カッター付ペン軸。
【考案の詳細な説明】
【技術分野】
【０００１】本考案は、軸先端部の芯にカッターを設けたことを特徴とするノック式カッターペン軸に関するものである。
【背景技術】
【０００２】従来、新聞、雑誌、書類等の記事や図形の切り抜きをする場合カッターを用いるが該カッター取り扱いの際危険が伴ったり、また近年カッター自体の携帯がきびしく不便であった。
【考案の開示】
【考案が解決しようとする課題】
【０００３】カッターの取り扱いの危険度を最小限にすると同時に何処へでも自由に携帯し新聞、雑誌、書類等の記事や図形の切抜きをする事が出来るカッターつきペン軸を提供することにある。
【課題を解決するための手段】
【０００４】上記の目的を達成するため、本考案は、ペン軸の芯先端部に極小のカッターを設けペン軸とすることにより危険度も減少し安全で何処へでも携帯でき、新聞、雑誌、書類等の切抜きが出来るノック式カッター付きペン軸とした。
【考案の効果】
【０００５】上記、芯先端部にカッターを設けたペン軸をノック式ペンボディに装着することにより該カッター付きペン軸がペンボディー内外を移動、芯先端部が突出し紙を切抜くことが出来る。
【考案を実施するための最良の形態】
【０００６】本考案の実施形態について説明する。
本考案の芯（１）先端部にカッター（２）を設け該芯（１）を軸（３）に装着する構造とした一体型ノック式カッター付きペン軸。
【実施例】
【０００７】実施例について詳細に説明する。図１は本考案の断面図である。
芯（１）先端部にカッター（２）を設け該芯（１）を軸（３）に装着し一体型カッター付ペン軸としノック式ペンボディに装着使用するものである。
【産業上の利用可能性】
【０００８】文具用カッターに関しては一般的に工具としてものが多く利用され文具専用としてのものは少なく限られていた。カッター類はその危険性から学校への持込は言うまでもなく一般の携帯も禁止されている。カッター付きペン軸をノック式ペン軸として使用することにより刃（２〜３ミリ）の危険度も極めて小さく安全に児童の取り扱いも容易になる。またカッター付ペン軸の後方部に筆記具を設けることにより記事のマーキングなど同時二役の機能を持たせることができ便利である。
【図面の簡単な説明】
【０００９】
【図１】本考案の断面図
【図２】本考案の正面図
【符号の説明】
【００１０】１  芯
２  カッター
３  軸
【図１】
0003224608.tif 000003
【図２】
0003224608.tif 000004
(57)【要約】      （修正有）【課題】サーバーに食用米を保存できるボトルを装着し、任意の量を計量して、吐き出し口から食用米を供給する機能を付与することにより、食用米の品質を保つ収納と、炊飯の手間を軽減する食用米サーバーを提供する。【解決手段】食用米計量部３と吐き出し口４を備えたサーバー１の上部に、着脱可能な食用米を保存できるボトル２を装着する。装着部分と計量部分が結合する構造にする。計量部分で任意に計量された米が、吐き出し口から出てくる構造にする。【選択図】図１
0003224602.tif 000002
【実用新案登録請求の範囲】
【請求項１】
食用米計量部と吐き出し口とを備えたサーバー本体と、このサーバーに着脱可能で内部に食用米を収納したボトルとからなり、前記サーバー本体と前記ボトルとを結合部で連結させた後に、前記ボトルの前記食用米計量部で任意の量の食用米を計量して、前記サーバー本体の前記吐き出し口から取り出すことを特徴とする食用米サーバー。
【考案の詳細な説明】
【技術分野】
【０００１】  本考案は、着脱式の食用米収納ボトルを装着して、任意の量のお米を吐き出すサーバーに関するものである。
【背景技術】
【０００２】  食用米の消費に関して、多くの消費者は、小売店等で食用米を購入し、自ら自宅まで運び米びつ等に収納して、炊飯時に計量カップ等で取り出し消費している。
【先行技術文献】
【特許文献】
【０００３】
【特許文献１】特開２００３−１９００２９
【考案の概要】
【考案が解決しようとする課題】
【０００４】  食用米は、酸化による劣化が早く品質を保って長く保存するのが難しい。さらに、炊飯時ごとに計量して取り出すのは、手間と時間がかかる。従って、食用米を品質の良い保存状態に保つ機能と、炊飯時の手間を軽減する機能をサーバーに付与することにより前述の問題を解決しようとするものである。
【課題を解決するための手段】
【０００５】  本考案は、食用米をボトルに収容してサーバー本体に装着し、そのサーバー本体から任意の量の食用米を計量し吐き出すことを可能にして、問題点を解決している。
【考案の効果】
【０００６】  食用米を密閉されたボトルに収納することにより食用米の劣化を軽減し、食用米の品質を保つ。また、サーバー本体に任意の量を計量する機能を付与することで、炊飯の手間や時間を削減する。
【図面の簡単な説明】
【０００７】
【図１】  本考案の食用米サーバーの一実施事例を示す正面図である。
【考案を実施するための形態】
【０００８】  本考案は、サーバー本体１上部に、食用米５を密閉された状態で保存できる食用米保存ボトル２をサーバー本体１の食用米計量部３と結合部６で接続し、装着した食用米ボトル２から任意の量の食用米を計量し、吐き出し口４から食用米を供給することにより、食用米の品質を保つ収納と、炊飯の手間の軽減を可能にする。食用米ボトル２は配達サービスにより消費者のもとに届けられることを想定している。また、食用米計量部３は、既存の米びつに設けられているような煩雑な操作を必要としない計量が可能な仕組みにする。結合部６の構造は、食用米ボトル２とサーバー本体１及びそれに内蔵されている食用米計量部３をスムーズに結合させ、食用米ボトル２の着脱も容易にできる構造とする。
【符号の説明】
【０００９】１  サーバー本体
２  食用米保存ボトル
３  食用米計量部
４  吐き出し口
５  食用米
６  結合部
【図１】
0003224602.tif 000003
(57)【要約】      （修正有）【課題】服の縫製時に使用するマグネット指ぬきを提供する。【解決手段】針を拾うマグネット指ぬき２と、このマグネット指ぬき２の一部に磁石を内蔵し、全体に磁力を通す。【選択図】図１
0003224697.tif 000002
【実用新案登録請求の範囲】
【請求項１】
指先にはめ、磁石の力で針を拾う洋裁指ぬきの形状と、その磁力を通す素材で出来た指ぬきの一部に、磁石を内蔵したマグネット指ぬき。
【考案の詳細な説明】
【技術分野】
【０００１】  本考案は、服の縫製時に使用するマグネット指ぬきに関する。
【背景技術】
【０００２】  従来の服の縫製時には、使用していたまち針をその都度拾い、ピンクッションに刺していた。
【考案の開示】
【考案が解決しようとする課題】
【０００３】  しかしこれでは、作業中に何度もミシンを止め、まち針を拾わなければならず、時間がかかり不便である。
【課題を解決するための手段】
【０００４】  そこで、指ぬきの一部に、磁石を内蔵したマグネット指ぬきを考案した（図１）。
このマグネット指ぬきにより、抜いたまち針をその都度拾う事が出来る為、作業中に何度もミシンを止めてまち針を拾わなくても良いのである。
【考案の効果】
【０００５】  よって、本考案のマグネット指ぬきにより、服の縫製時の生地から抜いたまち針をその都度拾ってピンクッションに刺す必要がなくなる。又、マグネット指ぬきで、まち針を拾う事が容易で、ミシン作業が中断することなく、スムーズに行えて、時間の短縮になる。
【考案を実施するための最良の形態】
【０００６】  本考案に係るマグネット指ぬき２は、［図１］に示すようにマグネット指ぬきの一部に磁石を内蔵している。そして、マグネット指ぬき２は、磁石を内蔵する様に形成されている。
マグネット指ぬき２の出入口３は、指の太さで決める。又、長さ４は、第一関節の長さに応じて決めれば良い。
素材は、磁力を通すプラスチック等で形成する事が望ましい。
【図面の簡単な説明】
【０００７】
【図１】  本考案に係るマグネット指ぬきを、机の上に置いた状態の断面図である。
【図２】  本考案のマグネット指ぬきを、指にはめ、まち針がくっついた状態である。
【符号の説明】
【０００８】１．磁石
２．マグネット指ぬき
３．出入口
４．長さ
５．机等の平面
６．まち針
７．手
【図１】
0003224697.tif 000003
【図２】
0003224697.tif 000004
(57)【要約】      （修正有）【課題】従来には無かった安定性を持たせる取っ手付きコップを提供する。【解決手段】コップ淵２の上端と取っ手１の上端部との合流部に突起３を設けた。コップの取っ手の高さはコップの淵にフラットかやや低めとし、コップの淵は取っ手と合流させ、突起の部分は取っ手と淵と突起の一体とする。その為に、安定性の梃子である第一の梃子として働くことが出来る。第一の梃子の原理でみると、親指の支点が力点より内側にあり、力点が支点より外側の小指側に来て、作用点が対側のコップの内側となるために安定して、コップを持つことが出来る。【選択図】図１
0003224676.tif 000002
【実用新案登録請求の範囲】
【請求項１】
コップの淵と取っ手の合流部に、突起部分を持たせることで親指やその他の指を安定性の梃子である第一の梃子の支点として有効に使うことが出来る。これにより、親指が効率よく働くことでコップを安定して持つことが出来る。
【考案の詳細な説明】
【技術分野】
【０００１】  本考案は、コップの上端である淵と取っ手の上端部に突起を設けた、コップに関するものである。
【背景技術】
【０００２】  コップの持ち方は、比較的自由な持ち方をしているように思う。手が不自由な人でもより、安定して持てる持ち方は無いかと考えた次第である。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  コップがコブシよりも大きくなると、コップ自体の重量や中身の重さから、持ち手が不安定に感じるときがある。特に、麻痺が存在するときや、何らかの理由から握力が低下した時などはそれを感じる時がある。
【課題を解決するための手段】
【０００６】  本考案は、コップの淵の上端部と取っ手の上端部の合流部に、突起を持たせている。その上端部の突起に親指の末節骨部分で押さえたり、基節骨部分に引っ掛けたりすることで、その部分が安定性の梃子である第一の梃子の支点として働き、効率よくコップを安定させることが出来る。
【考案の効果】
【０００７】  上述の通り、親コップは親指やその他の指を第一の梃子の支点で持つことが出来るのである。既存の親指を使わせるようなコップは、取っ手がやや高くなっているだけである。確かに、親指が梃子の支点となるかもしれないが、支点である親指と力点である小指側との距離が短いために、コップを持ち上げた際に支点と力点の位置関係が入れ替わってしまい第三の梃子となりやすく安定感が得にくい。しかし、親コップはコップの淵と取っ手と突起が一体化しており、淵側の深い突起部分を親指で支点とすることが出来るので安定性の第一の梃子として、より安定して持てる。
【図面の簡単な説明】
【０００８】
【図１】本考案の親コップの正面図である。
【図２】本考案の親コップの側面図である。
【考案を実施するための形態】
【０００９】  コップの淵と取っ手の合流部に突起を持たせる。形状は特に限定されるものではないが、高さは５ｍｍ以上が好ましく、１０ｍｍ以上がさらに好ましい、鋭角な部分を有しない方が欠けるとの不具合が生じず好適である。。
【実施例】
【００１０】以下、添付画面に従って説明する。１．取っ手の高さは、コップの淵の高さかやや低めとする。２．コップの淵と取っ手と突起の部分は一体化させる。３．突起部分は親指が当たった時に痛くない円状の形状として、強度のあるものとする。
【産業上の利用可能性】
【００１１】  親コップは上端部分に突起を持たせて、親指やその他の指を梃子の支点としてコップを持つことが出来る。それも安定性の梃子である第一の梃子を使って持っているので、コップが安定するのである。つまりは、麻痺のある方、障碍のある方、コップが上手く持てない子供などでもこぼすことなくコップを持つことが出来る。その為に、介護業界や福祉業界での利用可能性が考えられ、世の中の役に立つ可能性が高い。
【符号の説明】
【００１２】１．取っ手
２．コップの淵
３．突起部分
【図１】
0003224676.tif 000003
【図２】
0003224676.tif 000004
【手続補正書】
【提出日】令和1年7月27日(2019.7.27)
【手続補正１】
【補正対象書類名】実用新案登録請求の範囲
【補正対象項目名】全文
【補正方法】変更
【補正の内容】
【実用新案登録請求の範囲】
【請求項１】
コップの淵と取っ手の合流部に突起部分を持たせてることで、親指やその他の指が効率よく働き、コップを安定して持つことが出来る。
【手続補正書】
【提出日】令和1年10月9日(2019.10.9)
【手続補正１】
【補正対象書類名】実用新案登録請求の範囲
【補正対象項目名】全文
【補正方法】変更
【補正の内容】
【実用新案登録請求の範囲】
【請求項１】
取っ手付きコップにおいて、コップの淵の上端と取っ手の上端部との合流部に突起を設けたことを特徴とする取っ手付きコップ。
(57)【要約】      （修正有）【課題】クリップとひも状の連結体で構成されたもので、衣類をまとめ上げ、自転車の車輪等への衣類の巻き込みを防止するクリップを提供する。【解決手段】クリップ１をひも状の連結体２でつなぎ、衣類の左右の両端をクリップの挟み口３で挟み、布地を自身の前に手繰り寄せて衣類の後ろ身頃がタイトスカートの様になり、衣類が後方に風で煽られない様にして車輪等への巻き込みを防ぐ。衣類を手で押さえての危険な片手運転、転倒事故防止に役立つ。【選択図】図１
0003224679.tif 000002
【実用新案登録請求の範囲】
【請求項１】
連結体と２個のクリップで構成し、連結体の両端にクリップを接続することにより、自転車乗車時に、２個のクリップを幅広の衣類の両端に挟み、クリップの位置を調整することにより、衣類を所定の幅にまとめることを目的とした自転車衣類巻き込み防止クリップ。
【請求項２】
上記クリップは、ステンレスピンチと言われる、ステンレス線の一体成型品とした請求項１の自転車衣類巻き込み防止クリップ。
【請求項３】
上記接続体は、二重丸カンや金属チェーン等を連結した請求項１の自転車衣類巻き込み防止クリップ。
【考案の詳細な説明】
【技術分野】
【０００１】本考案は、ひも状の連結体の両端にクリップを付けた留め具に関するものである。
【背景技術】
【０００２】自転車に乗車する際、衣類が風に煽られ、車輪等に巻き込んでの転倒事故や、衣類の破れ、チェーンカバーの無い自転車の油の汚れがあったため。
【先行技術文献】
【特許文献】
【０００３】
【特許文献１】実願  １９８６−１６７２０２
【考案の概要】
【考案が解決しようとする課題】
【０００４】昨今、ファッション性のある長い衣類の流行で、自転車に乗った時に衣類が風に煽られて車輪等への巻き込みを防いで、転倒事故や衣類の破れ・汚れを防ぐ。
また、クリップの挟み口で留めることにより、スカートが風に煽られることによるめくれも防止できる。
【課題を解決するための手段】
【０００５】本考案は、ひも状の連結体の両端にクリップを付けたものを、自転車に乗る時に衣類を、左右両脇から前に手繰り寄せて、自身の前でまとめ上げることにより、後ろ身頃をタイトスカートのようにして、衣類が風で後方に煽られるのを防いで、車輪等への巻き込みを防止する。従来は、ワイシャツの袖丈を短くする短縮バンドがあったが、具体的には、短縮バンドは接続体をゴムにして伸縮するようにしたものであり，今回の発明は接続体とクリップを工夫したものである。
本案は衣類を挟むクリップを挟み易く取れにくく、傷つけにくいものとして、接続体は絡みにくく衣類を傷つけにくくしたものである。
【考案の効果】
【０００６】上述の様に本考案は、クリップにひも状の連結体を付けることにより、装着時にクリップ同士の間にゆとり・遊びをもたせ、布地への負担を軽減するもので、使用時に外れにくくしている。
本考案を使用することにより、衣類が風で後方に煽られるのを軽減し、車輪等への巻き込みを防ぎ、衣類を手で押さえての片手運転を防いで、転倒事故・危険な片手運転を減らして、今までより安全に自転車に乗ることができ、事故防止に役立つ。
また、椅子に座る時、長い衣類が床につくことによる汚れや、椅子の脚やキャスターに巻き込まれることを防ぐことも出来る。
【図面の簡単な説明】
【０００７】
【図１】本考案の自転車衣類巻き込み防止クリップの使用例の図面である。
【図２】本クリップの全体図である。
【図３】本考案の実施例写真
【図４】本考案の使用例写真
【図５】本考案部品を繋ぎ合わせる前の写真である。
【図６】本考案の完成品の写真である。
【考案を実施するための形態】
【０００８】２個のクリップをひも状の連結体で繋ぐことでクリップ同士の間に、ゆとりと遊びを作り布地の引きつり・負担を減らし外れにくくなっている。
自転車に乗った時に、左右両脇から布地を手繰り寄せて自身の中央、太もも辺りでまとめ上げる。
【実施例】
【０００９】以下、添付図面に従って実施例を説明する。【００１０】図１は実際の使用例である。【００１１】図２はステンレス製のクリップとひも状の連結体をつなげたものである。
ステンレス製のクリップは、ステンレスピンチと言われるステンレス線の一体成型品とした洗濯バサミである。
ひも状の連結体は、ステンレス製の二重丸カン、または金属チェーンで、長さは１５ｃｍ〜２０ｃｍ位が適切である。ひも状の連結体には、任意にビーズ等を追加して見栄えを良くしたりできる。【００１２】図３は使用例の使用前・使用後の写真である。【００１３】図４は自転車乗車時の実際の使用例の使用前・使用後の写真である。【００１４】図５は、ステンレスピンチと二重丸カンの写真である。【００１５】図６は実施例。
二重丸カンは一本より二本にすることにより丈夫になる。
二本の二重丸カンの間をつなぐ位置をクリップの長さより短く等間隔につなぐことにより絡みにくくなる。【００１６】クリップ１の衣類への装着位置を選ぶことにより、衣類の形状による布地の取り幅を自由に調節できる。【００１７】本考案の実施例は、上述の通りであるが、風によるスカートのめくれ防止にもなり、また、自転車乗車時以外の椅子に座った時等に装着することにより、長い衣類が床に擦れての汚れ、椅子の脚やキャスターに敷かれての汚損防止にもなる。
【符号の説明】
【００１８】１：クリップ
２：ひも状の連結体
３：挟み口
４：つまみ
【図１】
0003224679.tif 000003
【図２】
0003224679.tif 000004
【図３】
0003224679.tif 000005
【図４】
0003224679.tif 000006
【図５】
0003224679.tif 000007
【図６】
0003224679.tif 000008
【手続補正書】
【提出日】令和1年10月15日(2019.10.15)
【手続補正１】
【補正対象書類名】実用新案登録請求の範囲
【補正対象項目名】請求項３
【補正方法】変更
【補正の内容】
【請求項３】
上記連結体は二重丸カン又は金属チェーンを連結した請求項１の自転車衣類巻き込み防止クリップ。
(57)【要約】      （修正有）【課題】フォークリフトのガイド表示装置を提供する。【解決手段】フォークリフト１の２本の爪２及び爪同士を連結している桟に照明装置５が設置され、前記装置のライトからレンズを介してガイドの光帯をパレットの爪挿入口に照射することができ、前記ガイド光帯は、マストの垂直検出装置６から出力された信号により点灯すること。【選択図】図１
0003224583.tif 000002
【実用新案登録請求の範囲】
【請求項１】
荷役移動用車両（フォークリフト）の２本の爪及び爪同士を連結している桟に照明装置が設置され、前記装置のライトからレンズを介してガイドの光帯をパレットの爪挿入口に照射することができる。
前記ガイド光帯は、マストの垂直検出装置から出力された信号により点灯することを特徴とする。
【請求項２】
前記照明装置は、ライト部がスプリングにより上下方向に動くダンパー機構を有している。
【考案の詳細な説明】
【技術分野】
【０００１】本考案は、荷役用車両（フォークリフト）における作業支援装置に関するものである。例えばフォークリフトでパレットへ搭載された荷物を移動させる場合に作業者の視認性向上を目的にした装置である。
【背景技術】
【０００２】従来は、フォークリフトで荷役の移動を行う場合、荷役の搭載されたパレットの穴へフォークリフトの爪を挿入する際は、作業者の目視で行っており死角部分が生じ、フォークリフトの爪部で荷物を損傷させてしまう事例が多発していた。
【先行技術文献】
【特許文献】
【０００３】
【特許文献１】特許６４６７６１６
【考案の概要】
【考案が解決しようとする課題】
【０００４】上記の特許文献１には、カメラ装置にて撮影された画像を作業者が視認する表示装置が必要とされている、また、その画像を無線で伝送する装置が必要であるため、投資金額が多くなってしまう。
【課題を解決するための手段】
【０００５】本考案は、パレットの穴に２本の爪を挿入する場合、穴部にガイド用の光帯を表示する照明装置であり、作業者の視認性を向上させる。
また、爪の上下可動部に固定しているため、高い場合でもパレットに表示可能とした。
照明装置は、パレットの挿入穴とほぼ同じ高さとなる、フォークリフトの２本の爪が備えられている連結桟に取付られているため、ガイドの誤差を最小にすることが可能である。
また、挿入する場合、マスト部が垂直であり、爪が水平になっている必要がある。爪の水平（マストの垂直）を検知する装置と連動しガイド用の光が点灯する。
【考案の効果】
【０００６】本考案により爪部の水平（マストの垂直）になった時、照明装置のライトが点灯することになり、ガイド光帯が点灯され挿入位置が明確化されるとともに、ガイド光帯により爪の挿入の容易性が増し、荷役の破損の減少につながる。
また、既に販売されている車両へ安価な装置の追加装備も可能とした。
【図面の簡単な説明】
【０００７】
【図１】  本考案をフォークリフトへ装着した斜視図
【図２】  本考案の照明装置
【図３】  本考案のマスト垂直検知装置
【図４】  本考案のガイド表示の実施例
【考案を実施するための形態】
【０００８】フォークリフトの爪部２の下部の桟３に照明装置５とマスト８の垂直検出装置６で構成し、検出装置６でマスト８が垂直（爪とマストは直角）になった時、スイッチ１９がカム２０によりオンになり照明ライト９を点灯させレンズ１１によりフィラメントの形状が２つの光帯となって、パレットにガイド光帯２７を表示させる。照明ライトの電源は、スイッチ１９の端子を中継しモバイル電池７または、車両バッテリーへ接続される。
【符号の説明】
【０００９】  １    フォークリフト（作業車両）        ２    爪
３    連結桟                            ４    可動部の桟
５    照明装置                          ６    マスト垂直検出装置
７    モバイル電池                      ８    マスト
９    照明ライト                        １０  照明シリンダー
１１  レンズ                            １２  照明部取付ブラケット
１３  圧縮バネ                          １４  照明装置取付ネジ
１５  取付ブラケット                    １６  照明部可動ブラケット
１７  アームＡ                          １８  スイッチ取付ブラケット
１９  スイッチ                          ２０  カム
２１  スイッチカバー                    ２２  車両取付部
２３  マグネット                        ２４  荷役
２５  パレット                          ２６  爪  挿入穴
２７  ガイド表示光帯                    ２８  取付ネジ
【図１】
0003224583.tif 000003
【図２】
0003224583.tif 000004
【図３】
0003224583.tif 000005
【図４】
0003224583.tif 000006
【手続補正書】
【提出日】令和1年8月28日(2019.8.28)
【手続補正１】
【補正対象書類名】実用新案登録請求の範囲
【補正対象項目名】全文
【補正方法】変更
【補正の内容】
【実用新案登録請求の範囲】
【請求項１】
フォークリフトの２本の爪及び爪同士を連結している桟に照明装置が設置され、前記装置のライトからレンズを介してガイドの光帯をパレットの爪挿入口に照射することができ、前記ガイド光帯は、マストの垂直検出装置から出力された信号により点灯することを特徴とするフォークリフトのガイド表示装置。
【請求項２】
ガイドの光帯をパレットの爪挿入口に照射することができることを特徴とする、請求項１記載のフォークリフトのガイド表示装置において、ライト部がスプリングにより上下方向に動くダンパー機構。
【手続補正書】
【提出日】令和1年10月15日(2019.10.15)
【手続補正１】
【補正対象書類名】実用新案登録請求の範囲
【補正対象項目名】全文
【補正方法】変更
【補正の内容】
【実用新案登録請求の範囲】
【請求項１】
フォークリフトの２本の爪及び爪同士を連結している桟に照明装置が設置され、前記装置のライトからレンズを介してガイドの光帯をパレットの爪挿入口に照射することができ、前記ガイド光帯は、マストの垂直検出装置から出力された信号により点灯することを特徴とするフォークリフトのガイド表示装置。
(57)【要約】      （修正有）【課題】結束対象物の背面側に手指が挿入出来ない場所に於ける結束を可能とする、合成樹脂製結束バンドを提供する。【解決手段】結束対象物の背面側に手指が挿入出来ない場所に於いて、合成樹脂製結束バンドのバンド部２の形状をＵ字型に湾曲した形状２ａとすることで、テール部３を結束対象物の背面を通した後、前面側へ露出させる事が容易になり結束を可能とする。【選択図】図１
0003224597.tif 000002
【実用新案登録請求の範囲】
【請求項１】
バンド部がＵ字型に湾曲した形状を特徴とする合成樹脂製の結束バンド
【考案の詳細な説明】
【技術分野】
【０００１】  本考案は、合成樹脂製結束バンドのバンド部形状に関するものである。
【背景技術】
【０００２】  従来から配線その他の結束のために、合成樹脂製の結束バンドが使用されている。一般的に結束状態にない結束バンドは直線的な形状である。
【先行技術文献】
【非特許文献】
【０００３】
【非特許文献１】ヘラマンタイトン総合カタログ  デジタル版（’１７−’１９年版  Ｖｅｒ．３）ｐ．１１〜ｐ．１５
【考案の概要】
【考案が解決しようとする課題】
【０００４】  従来の合成樹脂製の結束バンドは直線的な形状である。そのため、例えば間隔の狭い格子の様な、結束対象物背面側に手指が挿入出来ない場所では、結束バンドのテール部を結束対象物前面側に露出させることが出来ない為、結束が困難である。
【課題を解決するための手段】
【０００５】  本考案は、合成樹脂製結束バンドのバンド部をＵ字型に湾曲した形状とすることで、結束対象物の前面側から挿入した結束バンドのテール部を、結束対象物の背面を通して容易に前面側へ引き出し結束することを可能とし問題点を解決している。
【考案の効果】
【０００６】  上述のように、Ｕ字型に湾曲した合成樹脂製結束バンドを用いる事で、結束対象物背面側に手指の挿入が不可能な場所への結束が可能となり、利便性が向上する。
【図面の簡単な説明】
【０００７】
【図１】本考案のＵ字型結束バンドの上面図および側面図である。
【図２】本考案のＵ字型結束バンドの使用例を示す斜視図である。
【考案を実施するための形態】
【０００８】  以下、本考案の合成樹脂製Ｕ字型結束バンドを、図面を参照して説明する。図１に本考案のＵ字型結束バンドの上面図および側面図を示す。本考案はヘッド部１、バンド部２、テール部３からなる合成樹脂製結束バンドであり、材質及び結束機構については先行技術と同様であるが、本考案はバンド部２のＵ字型湾曲部２ａを特徴とするものである。
【実施例】
【０００９】  格子への結束例を図２に示す。格子の結束対象部４に対し結束する場合、本考案結束バンドのヘッド部１近傍のバンド部２を持ち、結束対象部４に向かって右側にバンド部２のＵ字型湾曲部２ａを挿入する。更にテール部３先端が結束対象部背面よりも奥に到達するまで挿入を続ける。テール部３先端が結束対象部４の前面に向かって左側に露出するように、ヘッド部１を回転或いは上下左右に角度を変えて位置を調整して引出し、図２に示すように結束対象部前面に露出させる。露出したテール部３先端をヘッド部１に差し込み結束する。
【符号の説明】
【００１０】１    ヘッド部
２    バンド部
２ａ  Ｕ字型湾曲部
３    テール部
４    結束対象部
【図１】
0003224597.tif 000003
【図２】
0003224597.tif 000004
(57)【要約】      （修正有）【課題】この考案は一枚のミラーで、特別な行動を取らずに運転席から車の側面下の地面や後タイヤの位置を確認できる一体型ドアミラーを提供する。【解決手段】鏡面の一部を折り曲げ、車両側面直下も同時に映すことができる。【選択図】図１
0003224591.tif 000002
【実用新案登録請求の範囲】
【請求項１】
運転席から常に車両側面下を確認できる一体型ドアミラー
【考案の詳細な説明】
【考案の詳細な説明】
この実用新案は、死角となる車両側面下の地面付近を、常に運転席から確認できるドアミラーに関するものである。
従来鏡の反射面は、映す範囲を拡大する為、曲率半径の工夫、又は複数の曲面を境界無く成型した凸面鏡であり、後方や側方を主に設定すれば後タイヤの位置は見えず、駐車場では駐車枠のラインが見えなかった。この為ドアを開けて確認するか、電動ミラーでは向きを変えて見る、又は、補助ミラーの追加など極めて不自由であった。
本考案はその欠点を補う為、図１の様に、従来の鏡面１と、下部専用鏡面２を３に示す様に任意の位置で分割し、２の鏡面にて常に運転席から見える様にしたものである。
本考案は車両の右左折時、巻き込み事故防止や、産業界各種の監視用に広く応用する事が可能である。
【図面の簡単な説明】
【図１】  図１は右側ドアミラーの正面図である。
【図２】  図２はミラーの側面図を表したものである。
【符号の説明】１  は後や横を確認する従来の鏡面。
２  は車両側面下を確認する専用鏡面。
３  は二つのミラーの境界線を現したもの。
【図１】
0003224591.tif 000003
【図２】
0003224591.tif 000004
【手続補正書】
【提出日】令和1年10月15日(2019.10.15)
【手続補正１】
【補正対象書類名】実用新案登録請求の範囲
【補正対象項目名】全文
【補正方法】変更
【補正の内容】
【実用新案登録請求の範囲】
【請求項１】
鏡面の一部を折り曲げ、車両側面直下も同時に映すドアミラー。
(57)【要約】      （修正有）【課題】片手の運動機能が障害され、物を把持し固定することができない場合の、片手の役割を代償し、一人でタレの小袋をカットし納豆をかき混ぜる事ができる自立支援のための用具を提供する。【解決手段】重さのある木１（又はプラスチックや樹脂など）にカップ容器よりやや小さめの穴２をあけ、カップ容器をはめ込む。また、その木部に切り込み３を入れ、タレの小袋を置くことでハサミで切ることができる。把持し固定する片手の役割を代償する。【選択図】図１
0003224593.tif 000002
【実用新案登録請求の範囲】
【請求項１】
重さのある木に丸い穴と切り込みを入れて、納豆にタレを入れかき混ぜるため自助具。
【考案の詳細な説明】
【考案の詳細な説明】
【技術分野】
【０００１】  本考案は、片手の不自由な人に対して木やプラスチック樹脂等を利用した一人で既成の納豆を作れる自助具である。納豆をかき混ぜるときに容器が動かず、同時に薬味の袋・調味料の袋などの開封に役立つものである。
【背景技術】
【０００２】  ないと思われる。したがって、脳梗塞による片麻痺・傷害による片手の運動機能の障害された方は、他人の手を借りたり、他の容器に入れてもらったり、口に入れてもらったりと介助を受けている。また、自力でしている方は、歯で噛み切ったり、ハサミで動く袋を開封するため、てこずりながら奮闘していることが多くみられる。
【考案が解決しようとする課題】
【０００３】  本考案は、片手の運動機能障害がある場合の、その片手の役割を代償するものである。片手が使えない場合、固定することができないために、納豆をかき混ぜることができなかったり、自力で小袋を開封するのは困難であるという問題を生じていた。
【課題を解決するための手段】
【０００４】  片手の機能を代償するために、納豆容器をはめ込むところはカップ容器が動かない大きさの穴であることが重要であり、固定できるように重さのある木材等を用いる。小袋を挟む部位に切り込みを入れる。
【考案を実施するための形態】
【０００５】  考案の実施の形態について図面を用いて説明する。
（１）木材に、納豆容器を入れる為の丸い穴をあける。
タレとカラシの小袋を固定するところ（２）は、小袋を斜めに立てる為の切り込みを入れる。
【実施例】
【０００６】  本考案は、このような構造であるから、片手で自助具を平らな所に置き、納豆のカップ容器を穴に入れ、蓋を開けて中にあるタレとカラシの小袋を斜めの穴に入れると固定され、小袋が逃げることなく簡単にハサミでカットでき、納豆のカップ容器にタレと薬味を入れて納豆をかき混ぜることができる。
【考案の効果】
【０００７】  木材の切り込み部分を納豆容器よりやや小さくすることでカップ容器がしっかり固定されて、片手の役割を代償するものである。したがって、開封したい対象物が逃げることなく固定される。また、本考案は、片手で持てる大きさであり、軽いことから、持ち運びが容易である。
【図面の簡単な説明】
【図１】木に丸い穴と入切り込みを示した斜視図である。
【符号の説明】１  木
２  納豆容器を入れる穴
３  タレ袋を切るために置く切り込み
【図１】
0003224593.tif 000003
(57)【要約】      （修正有）【課題】容器自体に計量を容易にする計量機構を備えた液体調味料計量容器を提供する。【解決手段】弾性を備え、開口部１０に螺合部を備える有底の容器１と、容器の螺合部に装着される被螺合部と、液体調味料の吐出口１２と計量目盛り１１を備え、内部の液体調味料を外部から透視可能な計量容器３と、計量容器に接続され、被螺合部が螺合部に螺合したときに容器内に配置されるチューブ１４と、チューブと計量容器との接続部に配置され、容器が圧縮されたときに開放し、圧縮が緩められると閉鎖する流入弁８と、を有する。計量目盛りを見ながら使用したい量になるまで、弾性容器を圧縮し、圧縮を緩めると流入弁がスプリング６の力で閉まり、計量された量で液体調味料の流入が止まる。【選択図】図２
0003224592.tif 000002
【実用新案登録請求の範囲】
【請求項１】
底部１の弾性容器１０の開口部に２の螺旋連結部を装着される、透視可能な３計量容器の中央底の連結部から１弾性容器内に押入した１４流入チューブに通じ、上部計量容器底部の流入弁と１弾性容器内に通じる１３吸気パイプ５ボール弁の吸気口とを備えている、１弾性容器内の負圧により３計量容器に流入して溜まった液体を逆流防止８流入弁は手動で開閉が可能、溜まった液体の量を調節できることを特徴とする液体調味料計量容器。
【請求項２】
内容物排出させる派出口を備えた１弾性容器において、弾性容器内圧上昇によりボール弁を閉じて液体を流入チューブを通し逆流防止弁の７流入軸を押し上げ計量容器に流入、８流入弁通過は７流入軸に６スプリング装着により流速制御する、流入液体は急に増えることなく容易に計量できることを特徴とする液体調味料計量容器。
【考案の詳細な説明】
【技術分野】
【０００１】  本考案は、液体調味料などを計量容器や計量スプーンを用いらず１つの調味料容器で容易に液体調味料の計量が出来る液体調味料計量容器に関するものである。
【背景技術】
【０００２】  調理の際に計量容器や計量スプーンを別途用意したり、計量した調味料を入れる器を用意したり、計量するために手を止めたり、使用後は洗浄したり、手間が掛かっていた。
【考案の概要】
【考案が解決しようとする課題】
【０００３】  計量容器や計量スプーンを別途用意したり、収納場所を取ったり、使用後は洗浄したり調理中に液体調味料を計量しようとすると計量容器や計量スプーンなどを用いていたが、計量するため手を止めたり、費用・場所・手間を容器自体に容易な計量機構を備えることで問題点を解決している。
【考案の効果】
【０００４】  調理中に片手で容易に液体調味料を計量して注入出来る上、別途計量器具の洗浄やかたずけの必要がなくなり手間が省け収納場所も取らなくなる。
【図面の簡単な説明】
【０００５】
【図１】本考案による液体調味料計量容器実施例の平面図である。
【図２】本考案による液体調味料計量容器実施例の縦断面図である。
【図３】本考案による液体調味料計量容器螺旋連結部の縦断面図である。
【図４】本考案による液体調味料計量容器弾性容器の縦断面図である。
【図５】本考案による液体調味料計量容器の計量目盛り図である。
【図６】本考案による液体調味料計量容器の斜視図である。
【考案を実施するための形態】
【０００６】  液体調味料計量容器は上部の計量部と下部の弾性容器の構成で、の弾性容器の開口部から液体調味料を入れて上部の計量部を取り付け密閉する。下部弾性容器を手の圧縮によりボール弁が閉じて弾性容器内の液体調味料は流入チューブを通り計量容器に送られる、液体は計量容器の底から増していく、使用したい量の目盛りまで増したら弾性容器の圧縮を緩めると液体調味料の流入は計量された量でとどまり、そのまま容器を傾けて排出口から液体調味料を排出する、計量された量の液体調味料を使用することが出来る。
【課題を解決するための手段】
【０００７】  図２の１の弾性容器内に液体調味料を充填し、図２の２は螺旋連結部で３の計量容器を取り付ける。
１の弾性容器を手で圧縮することにより５のボール弁が閉じて１の弾性容器内の圧力は上がり液体調味料は１４の液体流入チューブを通し上部に送られる、８の流入弁が押し上げられて３の計量容器に流入する。
図５の１１の計量目盛りを見ながら使用したい量になるまで、１の弾性容器の圧縮を増す、計量目盛りで１弾性容器内の圧縮を緩めると８の流入弁が６のスプリングの力で閉まり、計量された量で液体調味料が止まると５のボール弁が開き空気が吸入され１の弾性容器内圧は解消される、容器を傾けることにより、１２の排出口から液体調味料を排出する。
液体調味料を多く取り込んでしまった場合は、７の流入軸を引き上げることで８の流入弁が開き液体調味料が１４の液体流入チューブを伝って１の弾性容器に戻され液体量が調節できる。
【符号の説明】
【０００８】  １  弾性容器
２  螺旋連結部
３  透明計量容器
４  計量容器キャップ
５  ボール弁
６  スプリング
７  流入軸
８  流入弁
９  容器キャップ
１０開口部
１１計量目盛り
１２排出口
１３吸気パイプ
１４液体流入チューブ
【図１】
0003224592.tif 000003
【図２】
0003224592.tif 000004
【図３】
0003224592.tif 000005
【図４】
0003224592.tif 000006
【図５】
0003224592.tif 000007
【図６】
0003224592.tif 000008
【手続補正書】
【提出日】令和1年10月23日(2019.10.23)
【手続補正１】
【補正対象書類名】実用新案登録請求の範囲
【補正対象項目名】全文
【補正方法】変更
【補正の内容】
【実用新案登録請求の範囲】
【請求項１】
弾性を備え、開口部に螺合部を備える有底の容器と、
前記容器の螺合部に装着される被螺合部と、
液体調味料の吐出口を備え、内部の液体調味料を外部から透視可能な計量容器と、
前記計量容器に接続され、前記被螺合部が前記螺合部に螺合したときに前記容器内に配置されるチューブと、
前記チューブと前記計量容器との接続部に配置され、前記容器が圧縮されたときに開放し、前記容器の圧縮が緩められると閉鎖する流入弁と、
を有することを特徴とする液体調味料計量容器。
【請求項２】
前記容器が圧縮されたときに閉じて前記容器内の圧力を上げ、前記容器の圧縮が緩められると開いて前記容器内の圧力を下げるボール弁と、
前記流入弁に接続され、把持されて前記流入弁を閉める方向とは逆方向に引き上げられることで前記流入弁を開放する把持部と、
前記流入弁を閉める方向に前記流入弁を付勢するスプリングと、
をさらに有することを特徴とする請求項１に記載の液体調味料計量容器。
(57)【要約】      （修正有）【課題】極薄のポリ袋の入り口の開口が指で容易にできるポリ袋を提供する。【解決手段】ポリエチレンフィルムを使用し、開口部１１を有する袋状のポリ袋本体１に対し、開口部１１のフィルムが２枚重なった各開口端部１１ａに、それぞれ切り欠き溝２を設け、その両切り欠き溝２が重ならないように位置をずらした。【選択図】図１
0003224827.tif 000002
【実用新案登録請求の範囲】
【請求項１】
ポリエチレンフィルムを使用し、開口部（１１）を有する袋状のポリ袋本体（１）に対し、前記開口部（１１）のフィルムが２枚重なった各開口端部（１１ａ）に、それぞれ切り欠き溝（２）を設け、その両切り欠き溝（２）が重ならないように位置をずらしたことを特徴とするポリ袋。
【考案の詳細な説明】
【技術分野】
【０００１】
本考案は、買い物の際に食品等を入れる開口容易なポリ袋に関にする。
【背景技術】
【０００２】
従来、食品スーパーで用意されたポリ袋は、レジ袋に入れた他の購入品に対して、冷凍食品等から発生する結露水で濡れるのを防止するために、冷凍食品等を一時的に入れるためのものである。
このポリ袋は、素材が極めて薄いポリエチレンチューブフィルムで作られているため、入り口が静電気等で密着状態にあり、その入り口を開口するのにも、指で２枚のフィルムを横にずらして開く必要がある。
その場合、指が乾いていると、上手くずらすことができず、仕方なく自分の口で指をなめて濡らして開口していた。
また、指を濡らすのに、店側において、濡れた布巾が用意されており、この布巾で指を濡らして開口していた。しかしながら、そのポリ袋は極めて薄く、指を濡らしても簡単に開かず、入り口を開口するのに手間を要していた。
【０００３】
このポリ袋の入り口を開けやすくするための工夫として、特許文献１（特開２０１６−１６５４３４号）には、ポリ袋の上部の中央を切りとり取り、開け易くした直ぐに開くポリ袋が開示されている。
更に、特許文献２（特開平８−２９０４９５号）には、鋭利な突起付きリングと平らなゴム付きリングを交互に組み合わせたローラで、手提げ用ポリエチレン袋の開口部にすべり止めの凹凸を両面つける、すべり止め凹凸を付けたポリエチレン袋の製造方法が開示されている。
【先行技術文献】
【特許文献】
【０００４】
【特許文献１】特開２０１６−１６５４３４号公報
【特許文献２】実開平特開平８−２９０４９５号。
【考案の概要】
【考案が解決しようとする課題】
【０００５】
しかしながら、特許文献１のものは、ポリ袋の上部中央を、四角に切り取っただけであり、依然として、入り口及び切り取った部分はぴったり張り付いた状態であり、この状態では、従来のように、指で入り口をずらして開くので、開口が容易ではない問題点があった。
他方、特許文献２では、ポリ袋であるが、手提げ用ポリエチレン袋であり、ロール状のポリ袋に比べ、比較的厚手の素材で手提げがあるから、必ずしも、すべり止めの凹凸がなくても開口部が開け易く、他方、極薄のロール状のポリ袋にすべり止めの凹凸を形成するのは極めて難しく、仮に凹凸を形成するにしても手間を要し、量産化するのに難しい問題点を有していた。
【０００６】
本考案は、上問題点に鑑み、極薄なポリ袋の密着した開口部が指で容易に開口できるポリ袋を提供することを目的とする。
【課題を解決するための手段】
【０００７】
本考案は、上記問題点に鑑み、これを解消するものであり、ポリエチレンフィルムを使用し、開口部（１１）を有する袋状のポリ袋本体（１）に対し、前記開口部（１１）のフィルムが２枚重なった両開口端部（１１ａ）に、それぞれ切り欠き溝（２）を設け、その両切り欠き溝（２）が重ならないように位置をずらしたことを特徴とする。
【考案の効果】
【０００８】
本考案では、ポリエチレンフィルムを使用した開口部（１１）を有する袋状のポリ袋本体（１）に対し、開口部（１１）の各開口端部（１１ａ）に、それぞれ切り欠き溝（２）を設け、その両切り欠き溝（２）が重ならないように位置をずらしたことにより、切り欠き溝（２）の部分が重なっていないため、切り欠き溝（２）が見易く、しかも切り欠き溝（２）の所に露出した各開口端部（１１ａ）側が両手の指で別々に掴み易い。
そして、両切り欠き溝（２）で露出した開口端部（１１ａ）側を両手の指で別々に掴んで拡げれば、開口部（１１）の密着した２枚のフィルムが容易に離れ、開口部（１１）の開口が簡単にできる。また、切り欠き溝（２）により、ポリ袋の開口側が容易に見分けられる。
【図面の簡単な説明】
【０００９】
【図１】本考案のポリ袋を開口した状態を示す斜視図である。
【考案を実施するための形態】
【００１０】
以下、本考案の実施形態につき、図１を基に説明する。
その図１において、（１）は、ポリエチレンフィルムを２枚重ねして開口部（１１）有する袋状に形成したポリ袋本体であり、フィルムの厚さが５〜２０ミクロン程度である。
このフィルムを２枚重ねするには、一枚のフィルムを折り畳んだり、チューブ状のフィルムを使用してもよい。
【００１１】
（２）は、開口部（１１）のフィルムが２枚重なった状態の各開口端部（１１ａ）に、それぞれ形成した切り欠き溝であり、この両切り欠き溝（２）は、互に重ならないように、その位置を開口端部（１１ａ）に沿って適宜ずらしている。
この切り欠き溝（２）の大きさは、指先が入る程度の大きさであり、切り欠き溝（２）から露出している他方の開口端部（１１ａ）側を指先で掴める大きさである。
その形状としては、半月状、四角状等であるが、これに限定されない。
【００１２】
（３）は、熱溶着して形成した帯状のシール部であり、フィルムがチューブ状のものを使用した場は、図１の如く、ポリ袋本体（１）の底部側を熱溶着してシール部（３）を形成するが、１枚のフィルムを折り畳んで２枚重ねした場合は、塞がれていない底部や側部側もシール部（３）が形成され封着される。
要するに、２枚重ねしたフィルムに対し、袋にする部分の塞がれていない底部や側部側をシール部（３）で封着し、開口部（１１）有する袋状に形成すればよい。
このシール部（３）の幅は約１〜３ｍｍ程度である。
【００１３】
このポリ袋を開口するには、両切り欠き溝（３）から露出する他方の開口端部（１１ａ）側を指先で掴んで外側に拡げれば、開口部（１１）の密着した２枚のフィルムが容易に離れ、開口部（１１）の開口が極めて簡単にできる。
【符号の説明】
【００１４】
１  ポリ袋本体
１１  開口部
１１ａ  開口端部  
２  切り欠き溝                                                                                                                                                                      
３  シール部  
【図１】
0003224827.tif 000003